(57)【要約】【課題】赤外線ノイズを除去するとともに赤外線信号を確実に受信する赤外線リモコン用遮蔽導波構造、同遮蔽導波構造用の遮蔽導波ユニット及び同遮蔽導波構造を用いたプロジェクタ等の電子機器を提供すること。【解決手段】本発明に係る赤外線リモコン用遮蔽導波構造は、外装ケースを形成する筐体１３内にリモコン受光素子１２を収納するとともに、この筐体１３の外表面部にリモコン受光素子１２へ赤外線信号３１を導くためのリモコン受光部１１を備えている。そして、リモコン受光部１１の前方には、入射開口部５１以外からの赤外線ノイズ４１の侵入を遮蔽するとともに、入射開口部５１から入射された赤外線信号３１を出射開口部５２へ伝播する管状構造部５０が設けられている。なお、入射開口部５１はリモコン受光部１１から離れた位置に設けられ、出射開口部５２はリモコン受光部１１に向けて設けられている。【選択図】図１
2010259029.tif 000002
【特許請求の範囲】
【請求項１】
外装ケースを形成する筐体内にリモコン受光素子を収納するとともに、この筐体の外表面部にリモコン受光素子へ赤外線信号を導くためのリモコン受光部を備えた電子機器における赤外線リモコン用遮蔽導波構造であって、
前記リモコン受光部の前方には、入射開口部以外からの赤外線の侵入を遮蔽し、入射開口部から入射された赤外線信号を出射開口部へ伝播する管状構造部が設けられるとともに、前記入射開口部は前記リモコン受光部から離れた位置に設けられ、さらに、前記出射開口部は前記リモコン受光部に向けて設けられている
ことを特徴とする赤外線リモコン用遮蔽導波構造。
【請求項２】
前記入射開口部は、前記リモコン受光部に直面しないように形成されていることを特徴とする請求項１記載の赤外線リモコン用遮蔽導波構造。
【請求項３】
前記入射開口部は、前記リモコン受光部が形成されている筐体の外表面部に垂直な面に形成されていることを特徴とする請求項１又は２記載の赤外線リモコン用遮蔽導波構造。
【請求項４】
前記入射開口部又は管状構造部内に赤外線を減衰する光学フィルタが取り付けられていることを特徴とする請求項１〜３の何れか１項記載の赤外線リモコン用遮蔽導波構造。
【請求項５】
前記入射開口部は、前記管状構造部により前記筐体の縁部より外方に位置するように形成されていることを特徴とする請求項１〜４の何れか１項記載の赤外線リモコン用遮蔽導波構造。
【請求項６】
前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性を備えた剛性体層と、この剛性体層の外側に形成された赤外線遮蔽用の材料からなる遮蔽層と、剛性体層の内側に形成された赤外線を反射する反射層との３層構造に形成されていることを特徴とする請求項１〜５の何れか１項記載の赤外線リモコン用遮蔽導波構造。
【請求項７】
前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性と、外側からの赤外線を遮蔽する遮蔽機能とを備えた剛性体遮蔽層と、この剛性体遮蔽層の内側に形成された赤外線反射用の反射層との２層構造に形成されていることを特徴とする請求項１〜５の何れか１項に記載の赤外線リモコン用遮蔽導波構造。
【請求項８】
前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性と、外側からの赤外線を遮蔽する遮蔽機能と、内側に入射された赤外線信号を反射して伝搬する機能を備えた単一構造層に形成されていることを特徴とする請求項１〜５の何れか１項に記載の赤外線リモコン用遮蔽導波構造。
【請求項９】
前記管状構造部は、前記筐体とは別体に形成された構造物が前記筐体に取り付けられることにより管状に形成されるものであるか、又は、前記筐体とは別体に、かつ管状に形成された構造物自体であって、
この別体に形成された構造物は、前記赤外線信号を出射する出射開口部が前記リモコン受光部に対し開口するように前記筐体の外表面部に取り付けられる遮蔽導波ユニットとして構成されていることを特徴とする請求項１〜８の何れか１項記載の赤外線リモコン用遮蔽導波構造。
【請求項１０】
前記遮蔽導波ユニットは、前記赤外線信号を出射する出射開口部の周辺部が前記筐体における前記リモコン受光部の周辺部に対し接着テープにより接着されて取り付けられていることを特徴とする請求項９記載の赤外線リモコン用遮蔽導波構造。
【請求項１１】
前記遮蔽導波ユニットは、前記赤外線信号を出射する出射開口部の周辺部が前記筐体における前記リモコン受光部の周辺部に対し接着剤により接着されて取り付けられていることを特徴とする請求項９記載の赤外線リモコン用遮蔽導波構造。
【請求項１２】
前記遮蔽導波ユニットは、前記赤外線信号を出射する出射開口部を形成する端部が前記筐体における前記リモコン受光部の周辺に形成された嵌合用突起部に嵌合されて取り付けられることを特徴とする請求項１０又は１１記載の赤外線リモコン用遮蔽導波構造。
【請求項１３】
前記遮蔽導波ユニットは、前記赤外線信号を出射する出射開口部のリモコン受光部に対する取付方向を取付面内で変更して取り付けることができるように形成されていることを特徴とする請求項１２記載の赤外線リモコン用遮蔽導波構造。
【請求項１４】
前記遮蔽導波ユニットは、前記入射開口部の向きを変更できるように柔軟性材料により形成されていることを特徴とする請求項９〜１３の何れか１項に記載の赤外線リモコン用遮蔽導波構造。
【請求項１５】
前記遮蔽導波ユニットは、前記赤外線信号を出射する出射開口部を備えた第２管状部と、前記入射開口部を備えた第１管状部とから構成され、前記第２管状部は前記リモコン受光部の周辺部に固定され、前記第１管状部は前記第２管状部に対し接合されるように構成されていることを特徴とする請求項９〜１４の何れか１項に記載の赤外線リモコン用遮蔽導波構造。
【請求項１６】
前記遮蔽導波ユニットは、前記第１管状部と前記第２管状部との接合部に黒色のビニルテープが貼り付けられていることを特徴とする請求項１５記載の赤外線リモコン用遮蔽導波構造。
【請求項１７】
請求項９〜１６の何れか１項に記載の赤外線リモコン用遮蔽導波構造を構成する遮蔽導波ユニット。
【請求項１８】
請求項１〜１６の何れか１項に記載の赤外線リモコン用遮蔽導波構造を備えた電子機器。
【請求項１９】
請求項１〜１６の何れか１項に記載の赤外線リモコン用遮蔽導波構造を備えるとともに、床置き、壁掛け及び天井吊設置等の複数種類の設置形態が可能に形成されたプロジェクタ。
【発明の詳細な説明】
【技術分野】
【０００１】
本発明は、赤外線リモコンを用いた電子機器などにおいて、リモコン受光部に取り付けられる赤外線リモコン用遮蔽導波構造、遮蔽導波ユニット、電子機器、及びプロジェクタに関する。なお、本明細書において、遮蔽導波構造とは、所定の開口部から内部に入射された赤外線信号を他の所定の開口部まで反射を繰り返しながら伝搬させる導波路を形成するものであって、導波路を構成する壁体は外部からの赤外線を遮蔽する遮蔽構造に形成されているものをいう。また、遮蔽導波ユニットとは、このような遮蔽導波構造を電子機器本体の外表面部に形成するために、電子機器本体とは別途に製作されるユニットのことをいう。
【背景技術】
【０００２】
従来、赤外線リモコンは電子機器などにおいて多く用いられている。しかし、赤外線リモコンを用いた電子機器においては室内照明装置などからの赤外線ノイズにより操作が妨害されるという問題が多発している。その具体例として、リモコン操作される３板式液晶プロジェクタを天井に取り付ける場合について、図１２に基づき説明する。
【０００３】
この図に示すように、例えば学校の教室などでは、３板式液晶プロジェクタ１は、天井吊具２などを用いてしばしば赤外線リモコン３のノイズ源である蛍光灯４の近くに設置される。３板式液晶プロジェクタ１は、赤外線リモコン３から赤外線信号を３板式液晶プロジェクタ１のリモコン受光部１１を介して内部に設置されたリモコン受光素子１２に対し操作指令を送り、この操作指令に従って３板式液晶プロジェクタ１を運転操作するように構成されている。一方、蛍光灯４は、本来可視光を利用するものであるが赤外線も発生している。このため、蛍光灯４から放出された赤外線ノイズ４１がリモコン受光素子１２に入射されると、赤外線リモコン３を操作しても、送信した赤外線信号３１に赤外線ノイズ４１が重畳され、リモコン受光素子１２の受光する赤外線信号が赤外線リモコン３から送信された赤外線信号３１とは異なったものとなることがある。また、このようにして結果的にリモコン操作が利かない場合が生じてしまうことがある。
【０００４】
このような問題を解決するため、従来の赤外線リモコン３においては、
（Ａ）赤外線ノイズ４１がリモコン受光素子１２に入射する経路に遮蔽層を設けるもの
（Ｂ）リモコン受光素子１２に対し、リモコン受光部１１を通して赤外線信号を受信する光導体と、光ファイバのプラグ接続用リセプタクルに接続される、光ファイバを介して受光するための光導体とを設けたもの
（Ｃ）リモコン受光素子１２の前に赤外線ノイズ４１を透過させないようにする光学フィルタを設けたもの
などの対策が採られていた。
【０００５】
前記（Ａ）の対策の例としては、特許文献１〜特許文献３を挙げることができる。特許文献１では、リモコン受光部１１とリモコン受光素子１２との間にリモコン受光素子１２の受光面を非対称に覆う遮蔽物が設けられている。また、特許文献２では、リモコン受光素子１２の前に赤外線信号を透過させるための透孔を異なる位置に二つ形成した遮蔽物が設けられ、プロジェクタの設置状態により遮蔽物の孔を使い分けるようにしたものが記載されている。また、特許文献３には、リモコン受光部１１の一部におけるリモコン受光素子１２側に光拡散剤又は光遮蔽剤を塗布するものが記載されている。
【０００６】
また、前記（Ｂ）の対策については特許文献４に記載されている。
また、前記（Ｃ）の対策については特許文献５〜特許文献８に記載されている。すなわち、特許文献５には、リモコン受光素子（特許文献５では赤外線受光素子）１２の受光面側に赤外線フィルタが設けられるとともに赤外線フィルタに赤外線ノイズ除去用の吸光素子としての塗料が塗布されたものが記載されている。また、特許文献６には、円板上に複数の光学フィルタ（赤外線フィルタ）を設け、設置状況に応じて円板を回し、赤外線ノイズ４１によるリモコンの誤動作を回避しながら、なるべく赤外線減衰量の少ないフィルタを選択できるようにしたものが記載されている。また、特許文献７には、円周方向の濃度が逆向きとなるように対向して２枚の円形板状の光学フィルタが配置され、光学フィルタを相対回転させることにより赤外線減衰効果を調節するようにしたものが記載されている。また、特許文献８には、受光信号に含まれるノイズレベル判定回路を設け、Ｓ／Ｎ比に応じて赤外線減衰量が異なる光学フィルタをリモコン受光素子１２の前に配置するものが記載されている。
【先行技術文献】
【特許文献】
【０００７】
【特許文献１】特開平６−１６０７５８号公報
【特許文献２】特開２０００−４９３６４号公報
【特許文献３】特開平１１−６９４６６号公報
【特許文献４】特開平７−２８４１７８号公報
【特許文献５】特開２００４−１０１３３４号公報
【特許文献６】特開２０００−１１１４００号公報
【特許文献７】特開平３−６５１１号公報
【特許文献８】特開平４−２８６３００号公報
【発明の概要】
【発明が解決しようとする課題】
【０００８】
しかしながら、従来（Ａ）のものあっては、板状、膜状などの遮蔽物をリモコン受光素子１２の前に設けるものであるので、赤外線ノイズ４１を十分に除去することが困難である。また、赤外線リモコン３を用いた電子機器の設置状況により赤外線ノイズ源とリモコン受光素子１２との相対的な位置関係が変化するため、電子機器の設置状況に合わせて遮蔽物を設けることができない場合がある。
【０００９】
また、前記従来（Ｂ）のものにあっては、光ファイバ接続部が設けられていない市場に出回っている製品に対しては実施困難である。
また、前記従来（Ｃ）のものにあっては、光学フィルタを透過させることによってのみ赤外線ノイズを除去しようとしているため、赤外線ノイズを減衰させるだけではなく赤外線信号も減衰させてしまう。このため、赤外線ノイズの強度が大きいほど減衰効果の大きい光学フィルタを使用することになり、結果的に赤外線信号も減衰させてしまい、赤外線信号も遮ってしまう恐れがある。したがって、この方法は、赤外線ノイズ防止策としてすべての場合に有効とは言い難い。特に、図１２（ｂ）のように蛍光灯４から赤外線ノイズ４１がリモコン受光素子１２に直接的に入射されるような場合において、赤外線ノイズ４１を光学フィルタで減衰させると赤外線信号をも減衰させることになり、赤外線信号を受信することができなくなる恐れがある。
【００１０】
このように、従来技術においては、赤外線ノイズ４１の確実な除去と赤外線信号３１の確実な受信を両立できるものが開発されておらず、より確実な方法の開発が要望されていた。また、従来のものは市場に出回っている製品に適用することが必ずしも容易ではなかった。
【００１１】
本発明は、このような事情に鑑み、赤外線ノイズを除去するとともに赤外線信号を確実に受信する赤外線リモコン用遮蔽導波構造、同遮蔽導波構造用の遮蔽導波ユニット及び同遮蔽導波構造を用いた液晶プロジェクタ等の電子機器を提供することを目的とする。
【課題を解決するための手段】
【００１２】
本発明に係る赤外線リモコン用遮蔽導波構造は、このような目的を達成するために成されたものであって、外装ケースを形成する筐体内にリモコン受光素子を収納するとともに、この筐体の外表面部にリモコン受光素子へ赤外線信号を導くためのリモコン受光部を備えた電子機器における赤外線リモコン用遮蔽導波構造であって、前記リモコン受光部の前方には、入射開口部以外からの赤外線の侵入を遮蔽し、入射開口部から入射された赤外線信号を出射開口部へ伝播する管状構造部が設けられるとともに、前記入射開口部は前記リモコン受光部から離れた位置に設けられ、さらに、前記出射開口部は前記リモコン受光部に向けて設けられていることを特徴とする。
【００１３】
上記構成によれば、従来、リモコン受光部を通してリモコン受光素子に入射されていた赤外線ノイズが管状構造部により遮蔽される。また、管状構造部の一端の入射開口部に入射された赤外線信号は、管状構造部により内部で反射を繰り返して他方の出射開口部に伝搬され、この出射開口部からリモコン受光部を通ってリモコン受光素子に出射されるので、リモコン受光素子における赤外線ノイズの影響防止と赤外線信号の受光を両立する赤外線リモコン用遮蔽導波構造を提供することができる。
【００１４】
また、前記入射開口部は、前記リモコン受光部に直面しないように形成されていることが好ましい。このようにすれば、従来リモコン受光部に赤外線ノイズが入射され易い設置の場合にあっても、管状構造部を形成することにより赤外線ノイズがリモコン受光素子に入射され難くなる。
【００１５】
また、前記入射開口部は、前記リモコン受光部が形成されている筐体の外表面部に垂直な面に形成されていることが好ましい。このように構成すると、従来リモコン受光部に赤外線ノイズが入射され易い設置の場合にあっても、管状構造部の入射開口部を赤外線ノイズ源の反対側を向くように位置させることが可能となり、赤外線ノイズがリモコン受光素子に入射されるのを防止することができる。
【００１６】
また、前記入射開口部又は管状構造部内に赤外線を減衰する光学フィルタが取り付けられているようにしてもよい。赤外線ノイズは色々な構造物の表面で反射するため、厳密には赤外線ノズル源から直接的に入射されるもののみに限られず、種々の物体で反射した赤外線ノイズが種々の反射経路で入射される場合がある。したがって、入射開口部又は管状構造部内に赤外線を減衰する光学フィルタが取り付けられることにより、このように種々の反射経路で入射される赤外線ノイズを除去することができる。
【００１７】
前記入射開口部は、前記管状構造部により前記筐体の縁部より外方に位置するように形成されているようにすることが好ましい。入射開口部が筐体の縁部より手前に存在している場合は、筐体の縁部で反射した赤外線ノイズが入射開口部から管状構造部の内部に入射され易い場合がある。このような場合には、入射開口部の位置を筐体の縁部より外方とすることによりこのような問題を解決することができる。
【００１８】
前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性を備えた剛性体層と、この剛性体層の外側に形成された赤外線遮蔽用の材料からなる遮蔽層と、剛性体層の内側に形成された赤外線を反射する反射層との３層構造に形成されているようにしてもよい。このように構成すれば、それぞれの機能を形成するために最適の材料を形成することができる。
【００１９】
また、前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性と、外側からの赤外線を遮蔽する遮蔽機能とを備えた剛性体遮蔽層と、この剛性体遮蔽層の内側に形成された赤外線反射用の反射層との２層構造に形成されているようにしてもよい。このようにすれば、構造を簡略化することができコストを軽減することができる。
【００２０】
また、前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物が、構造物としての剛性と、外側からの赤外線を遮蔽する遮蔽機能と、内側に入射された赤外線信号を反射して伝搬する機能を備えた単一構造層に形成されているようにしてもよい。このように構成すれば、より一層構造を簡略化することができる。
【００２１】
前記管状構造部は、前記筐体とは別体に形成された構造物が前記筐体に取り付けられることにより管状に形成されるものであるか、又は、前記筐体とは別体に、かつ管状に形成された構造物自体であって、この別体に形成された構造物は、前記赤外線信号を出射する出射開口部が前記リモコン受光部に対し開口するように前記筐体の外表面部に取り付けられる遮蔽導波ユニットとして構成されていることが好ましい。このように構成すれば、各機種に共通の管状構造部を形成することができる。また、既設の電子機器に対しても適用することが容易になる。
【００２２】
前記遮蔽導波ユニットは、前記赤外線信号を出射する出射開口部の周辺部が前記筐体における前記リモコン受光部の周辺部に対し接着テープにより接着されて取り付けられていることが好ましい。このように構成すれば、電子機器への管状構造部の取付が容易になる。したがって、既設の電子機器への管状構造部の取付も容易になる。
【００２３】
また、前記遮蔽導波ユニットは、前記赤外線信号を出射する出射開口部の周辺部が前記筐体における前記リモコン受光部の周辺部に対し接着剤により接着されて取り付けられているようにしてもよい。このように構成した場合も電子機器への管状構造部の取付が容易であり、既設の電子機器への管状構造部の取付も容易である。
【００２４】
また、前記遮蔽導波ユニットは、前記赤外線信号を出射する出射開口部を形成する端部が前記筐体における前記リモコン受光部の周辺に形成された嵌合用突起部に嵌合されて取り付けられるようにしてもよい。このように構成した場合は、取付位置を正確にしながら取付も容易になる。しかしながら、この場合は既設の電子機器には突起が設けられていないので取付ができなくなる。
【００２５】
また、この場合において、前記遮蔽導波ユニットは、前記赤外線信号を出射する出射開口部のリモコン受光部に対する取付方向を取付面内で変更して取り付けることができるように形成されていることが好ましい。このように構成することにより、赤外線ノイズ源と赤外線リモコンの位置に応じて入射開口部の位置を調整することができる。
【００２６】
また、前記遮蔽導波ユニットは、前記入射開口部の向きを変更できるように柔軟性材料により形成されているようにしてもよい。このように構成することにより、赤外線ノイズ源と赤外線リモコンの位置に応じて入射開口部の位置を容易に調整することができる。
【００２７】
また、前記遮蔽導波ユニットは、前記赤外線信号を出射する出射開口部を備えた第２管状部と、前記入射開口部を備えた第１管状部とから構成され、前記第２管状部は前記リモコン受光部の周辺部に固定され、前記第１管状部は前記第２管状部に対し接合されるように構成することができる。このように構成すれば、小さな部品の組合せで管状構造部を形成し、入射開口部の位置をリモコン受光素子から大きく離すことができる。また、第２管状部を利用するかしないかにより入射開口部の位置を調整することもできる。
【００２８】
また、前記遮蔽導波ユニットは、前記第１管状部と前記第２管状部との接合部に黒色のビニルテープが貼り付けられていることが好ましい。このように構成することにより接合部からの赤外線ノイズの侵入する懸念を払拭することができる。
【００２９】
また、本発明に係る遮蔽導波ユニットは、上記各構造の赤外線リモコン用遮蔽導波構造を構成するものである。このような遮蔽導波ユニットは、電子機器の据付け状況に対応して使用されることにより、リモコン受光素子における赤外線ノイズの影響を防止することができるとともに赤外線信号の受光を確実に行うことができる。
【００３０】
また、本発明に係る電子機器は、上記のような赤外線リモコン用遮蔽導波構造を備えたものである。このような電子機器によれば、リモコン受光素子における赤外線ノイズの影響を受け難い据付けを行うことができる。
【００３１】
また、本発明に係る３板式液晶プロジェクタは、床置き、壁掛け及び天井吊等の複数種類の設置形態が可能に形成されたものであって、上記のような赤外線リモコン用遮蔽導波構造を備えたものである。このように構成すると、色々な取付姿勢を取る液晶プロジェクタにおいて、赤外線ノイズの影響を受けないように取り付けることができる。
【発明の効果】
【００３２】
本発明に係る赤外線リモコン用遮蔽導波構造によれば、赤外線ノイズがリモコン受光素子へ導かれることを防止することができる。他方、赤外線リモコンからの赤外線信号を容易に受光することができる。これにより誤作動のない操作を行うことができる。
【図面の簡単な説明】
【００３３】
【図１】実施の形態１に係る赤外線リモコン用遮蔽導波構造の説明図であり、（ａ）は同赤外線リモコン用遮蔽導波構造を採用した３板式液晶プロジェクタを図２におけるＰ０−Ｐ１−Ｐ２断面図で表した同３板式液晶プロジェクタの取付例図であり、（ｂ）は同赤外線リモコン用遮蔽導波構造を構成する遮蔽導波ユニットの斜視図である。
【図２】同赤外線リモコン用遮蔽導波構造を採用した３板式液晶プロジェクタの外観斜視図である。
【図３】同赤外線リモコン用遮蔽導波構造における遮蔽導波ユニットの材料構成図である。
【図４】同赤外線リモコン用遮蔽導波構造を構成する遮蔽導波ユニットの取付例図である。
【図５】実施の形態２に係る赤外線リモコン用遮蔽導波構造の説明図であって、（ａ）は同赤外線リモコン用遮蔽導波構造を採用した３板式液晶プロジェクタの外観斜視図であり、（ｂ）は同３板式液晶プロジェクタを（ａ）におけるＰ０−Ｐ１−Ｐ２断面図で表した同３板式液晶プロジェクタの取付例図である。
【図６】実施の形態３に係る赤外線リモコン用遮蔽導波構造を採用した３板式液晶プロジェクタを図１（ａ）に対応する断面図で表した同３板式液晶プロジェクタの取付例図である。
【図７】実施の形態４に係る赤外線リモコン用遮蔽導波構造の説明図であり、（ａ）は同赤外線リモコン用遮蔽導波構造を採用した３板式液晶プロジェクタを図８におけるＰ０−Ｐ１−Ｐ２断面図で表した同３板式液晶プロジェクタの取付例図であり、（ｂ）は同赤外線リモコン用遮蔽導波構造を構成する遮蔽導波ユニットの背面側から見た斜視図である。
【図８】同赤外線リモコン用遮蔽導波構造を採用した３板式液晶プロジェクタの外観斜視図である。
【図９】実施の形態５に係る赤外線リモコン用遮蔽導波構造の説明図であって、同赤外線リモコン用遮蔽導波構造を採用した３板式液晶プロジェクタを図１（ａ）に対応する断面図で表した同３板式液晶プロジェクタの取付例図である。
【図１０】同赤外線リモコン用遮蔽導波構造を構成する遮蔽導波ユニットの背面側から見た斜視図である。
【図１１】変形例に係る遮蔽導波ユニットの材料構造の説明図であり、（ａ）は２層構造の説明図であり、（ｂ）は単層構造の説明図である。
【図１２】従来例に係る赤外線リモコンを採用した３板式液晶プロジェクタの説明図であって、（ａ）は同３板式液晶プロジェクタの外観斜視図であり、（ｂ）は（ａ）におけるＰ０−Ｐ１−Ｐ２断面図である。
【発明を実施するための形態】
【００３４】
（実施の形態１）
以下、本発明の実施の形態１に係る赤外線リモコン用遮蔽導波構造について図１〜図４を参照しながら説明する。なお、従来と共通する要素には同一の符合を付すものとする。
【００３５】
本実施の形態に係る赤外線リモコン用遮蔽導波構造は、電子機器に適用されているものであって、より具体的にはその代表例として３板式液晶プロジェクタ１に適用されているものを示す。
【００３６】
この実施の形態に係る赤外線リモコン用遮蔽導波構造を採用した３板式液晶プロジェクタ１は、図１（ａ）に示すように天井吊に設置されている。そして、この３板式液晶プロジェクタ１は、図１及び図２に示すように、筐体１３の前面側の内部にリモコン受光素子１２が収納され、その前方に位置する前面側の外表面部に、リモコン受光素子１２へ赤外線信号３１を導くためのリモコン受光部１１が形成されている。また、このような天井吊の場合には、図１（ａ）に示すように３板式液晶プロジェクタ１の近くに赤外線ノイズ源となる蛍光灯４がしばしば存在する。この実施の形態においては、リモコン受光素子１２へ赤外線ノイズ４１が入射されるのを防止するために、図１（ａ）に示すような赤外線リモコン用遮蔽導波構造が形成されている。
【００３７】
この赤外線リモコン用遮蔽導波構造は、入射開口部５１以外からの赤外線の侵入を遮蔽するとともに、入射開口部５１から入射された赤外線信号を出射開口部５２へ伝播する管状構造部５０をリモコン受光部１１の前側に設けたものである。管状構造部５０は、入射開口部５１をリモコン受光部１１から離れた位置とし、出射開口部５２をリモコン受光部１１に向けた位置とする。また、この実施の形態においては、管状構造部５０は、遮蔽導波ユニット５が取り付けられることにより、遮蔽導波ユニット５と筐体１３の表面部との間に形成されている。
【００３８】
管状構造部５０は、直方体形状の外観を有し、リモコン受光部１１を覆うように筐体１３の前面に形成されている。そして、この管状構造部５０の下面が赤外線信号３１を入射するための入射開口部５１を成し、管状構造部５０の背面が入射開口部５１から入射された赤外線信号をリモコン受光部１１へ出射するための出射開口部５２を成す。なお、遮蔽導波ユニット５は、このような管状構造部５０を構成する簡略な構造物を成すものであって、管状構造部５０の上壁、左右側壁及び前壁を形成する構造物である。
【００３９】
また、管状構造部５０の背面の開口部５２ａは、筐体１３に取り付けられた状態で出射開口部５２を成すものであって、リモコン受光部１１より大きく形成されている。また、管状構造部５０の下面の開口部５１ａは、筐体１３に取り付けられた状態で入射開口部５１を成す。また、遮蔽導波ユニット５を構成する上壁及び左右側壁には、後端縁から外周側に突出する鍔部５３が一体的に形成されている。この鍔部５３は、リモコン受光部１１周辺の筐体１３の外表面部に接するような形状に形成されており、この鍔部５３と筐体１３の外表面部との間に両面テープなどの接着テープ５４を介在させて接着させることにより、遮蔽導波ユニット５が筐体１３の外表面部に気密的に取り付けられている。したがって、出射開口部５２の周縁部から赤外線ノイズが侵入することはない。
【００４０】
また、上記遮蔽導波ユニット５は、図３に示すような３層構造の材料から形成されている。すなわち、外表面部を構成する第１層は、赤外線を遮蔽する遮蔽材料を用いた遮蔽層５ａに形成されている。遮蔽材料には、赤外線を透過しない性質、すなわち反射作用か吸収作用をするフィルム状の金属、樹脂、紙、ビニルテープが用いられる。中間の第２層は、構造成形のための剛性を備えた剛性体層５ｂに形成されている。この剛性体層５ｂを形成する材料としては金属、樹脂、紙などの剛性のある板状材料が用いられる。また、剛性体層５ｂの具現化を容易にするためには厚手の紙を用いると便利である。また、内表面を構成する第３層は、入射開口部５１から管状構造部５０内に入射された赤外線信号３１を、方向を代えて伝播させることが必要となるために赤外線を反射する反射層５ｃに形成されている。ところで、前述のように第２層である剛性体層５ｂには剛性のある材料が使用されているので、この第３層である反射層５ｃは、フィルム状の金属フィルム、樹脂フィルムが好ましい。より具体的には、アルミテープなどが好ましい。
【００４１】
また、上記のように筐体１３におけるリモコン受光部１１の周辺の壁面は、管状構造部５０の壁面の一部を形成する。一般に、筐体１３は、金属材料又は硬質樹脂材料の板状部材が使用されているので、構造成形のための剛性や赤外線を遮蔽する機能を備えているが、管状構造部５０内での反射を効率よく行わせることを配慮した表面層に形成されていることが好ましい。
【００４２】
この実施の形態に係る赤外線リモコン用遮蔽導波構造は、以上のように構成されているので、次のような作用効果を奏することができる。
（１）従来、リモコン受光部１１を通してリモコン受光素子１２に直接的に入射されていた赤外線ノイズ４１が管状構造部５０により遮蔽される。また、管状構造部５０の一端の入射開口部５１に入射された赤外線信号３１は、管状構造部５０内に閉じ込められながら内壁面で反射を繰り返して出射開口部５２に伝搬され、この出射開口部５２からリモコン受光部１１を通ってリモコン受光素子１２に出射される。したがって、リモコン受光素子１２における赤外線ノイズ４１の影響を防止するとともに赤外線信号３１を受光することができる。
【００４３】
（２）また、従来、リモコン受光部１１に赤外線ノイズ４１が入射され易い設置状態の場合にあっても、入射開口部５１がリモコン受光部１１に直面しないように形成されているので、赤外線ノイズ４１がリモコン受光素子１２に入射されることを防止することができる。
【００４４】
（３）また、従来、リモコン受光部１１に赤外線ノイズ４１が入射され易い設置状態の場合にあっても、入射開口部５１がリモコン受光部１１を形成する筐体１３の外表面部に対し垂直となる面に形成されているので、入射開口部５１を赤外線ノイズ源の反対側を向くように位置させることができる。したがって、赤外線ノイズ４１がリモコン受光素子１２に入射されることを防止することができる。
【００４５】
（４）管状構造部５０は、筐体１３とは別体に形成された構造物が、すなわち、この実施の形態においては遮蔽導波ユニット５が筐体１３に取り付けられることにより管状に形成されるものであって、この別体に形成された遮蔽導波ユニット５は３層構造に形成されている。すなわち、遮蔽導波ユニット５は、構造物としての剛性を備えた剛性体層５ｂと、この剛性体層５ｂの外側に形成された赤外線遮蔽用の材料からなる遮蔽層５ａと、剛性体層５ｂの内側に形成された赤外線を反射する反射層５ｃとの３層構造の壁面により形成されている。したがって、それぞれの機能を形成するために最適の材料を形成することができる。また、このようにすると、市販の比較的入手し易い安価な材料を使用することができる。
【００４６】
（５）遮蔽導波ユニット５は、筐体１３の外表面部に取り付けられることにより管状構造部５０を形成するように構成されているものであって、各機種に共通の管状構造部５０を形成することができる。また、既設の電子機器に対しても適用することが容易になる。
【００４７】
（６）遮蔽導波ユニット５は、赤外線信号を出射する出射開口部５２の周辺部が筐体１３におけるリモコン受光部１１の周辺部に対し接着テープ５４により接着されて取り付けられているので、電子機器への管状構造部５０の取付が容易になる。また、既設の電子機器への管状構造部５０の取付も容易である。
【００４８】
（７）遮蔽導波ユニット５は、リモコン受光部１１の周辺部に対し接着テープ５４により接着されて取り付けられているので、蛍光灯４等の赤外線ノイズ源とリモコン受光部１１との位置関係により赤外線ノイズ４１がリモコン受光素子１２に入射されるのを防止するように入射開口部５１の取付方向を取付面内で変更して取り付けることができる。例えば、３板式液晶プロジェクタ１が机などの台の上に載置されて設置されている場合には入射開口部５１が下面にあると操作し難くなるので、図４に示すように入射開口部５１が側面となるように、遮蔽導波ユニット５の取付方向を変更して取り付けることができる。
【００４９】
（８）この実施の形態に係る３板式液晶プロジェクタ１は、上記のような赤外線リモコン用遮蔽導波構造を採用しているので、リモコン受光素子１２における赤外線ノイズ４１の影響を受け難い据付けを行うことができる。
【００５０】
（実施の形態２）
次に、実施の形態２に係る赤外線リモコン用遮蔽導波構造について図５に基づき説明する。なお、実施の形態１と同一の構成には同一の符号を使用しその説明を省略する。
【００５１】
実施の形態２に係る赤外線リモコン用遮蔽導波構造は、遮蔽導波ユニット５の取付方法をさらに改善したものである。
すなわち、この実施の形態においては、リモコン受光部１１の周辺の筐体１３の外表面部に、遮蔽導波ユニット５の出射開口部５２を形成する端部の内面側に嵌合的に挿入される嵌合用突起部１５が形成されている。嵌合用突起部１５は、図５に示すように、小さな立ち上げ寸法で正面視正方形に形成された突起であって、遮蔽導波ユニット５の上壁と左右側壁に嵌合されるように形成されている。なお、遮蔽導波ユニット５が嵌合用突起部１５から外れないようにするために、実施の形態１の場合と同様に、遮蔽導波ユニット５の鍔部５３とリモコン受光部１１の周辺の筐体１３の外表面部との間を接着テープ５４により密着固定することが好ましい。
【００５２】
また、この実施の形態における遮蔽導波ユニット５の背面の開口部５２ａ及び出射開口部５２は、正方形の開口を有するように形成されており、前記嵌合用突起部１５もこの正方形の開口に対応するように形成されている。このように構成することにより、出射開口部のリモコン受光部に対する取付方向を取付面内で変更することができる。また、出射開口部のリモコン受光部に対する取付方向を変更することにより、３板式液晶プロジェクタ１が天井から吊下げ状態で取り付けられる天井吊り、壁面に取り付けられる壁掛け、机床などの上に載置される床置きなどの種々の形態に取り付けられる状態に対応して、入射開口部５１の位置及び方向を変更するように取り付けることができる。例えば、前述の実施の形態１における図４の場合のように、入射開口部５１が図１の状態における側面を向くように取り付けることも可能である。
【００５３】
実施の形態２に係る赤外線リモコン用遮蔽導波構造によれば、実施の形態１に記載した（１）〜（８）の効果に加えて以下のような作用効果を奏することができる。
（９）遮蔽導波ユニット５の背面の開口部５２ａを形成する端部の開口部５２ａがリモコン受光部１１の周辺に形成された嵌合用突起部に嵌合されて取り付けられるので、取付位置を正確にしながら取付も容易になる。なお、この実施の形態に係る嵌合用突起部１５は、既設のプロジェクタには形成されていないので、実施の形態２は既設のプロジェクタに適用されない。
【００５４】
（実施の形態３）
次に、実施の形態３に係る赤外線リモコン用遮蔽導波構造について図６に基づき説明する。なお、これら図面において実施の形態１と同一の構成には同一の符号を使用しその説明を省略する。
【００５５】
実施の形態３に係る赤外線リモコン用遮蔽導波構造は、実施の形態１の場合において、反射経路からの赤外線ノイズの侵入を防止するために赤外線リモコン用遮蔽導波構造を変更したものである。
【００５６】
赤外線ノイズ源となる蛍光灯４と３板式液晶プロジェクタ１との距離が近い場合には、赤外線ノイズ源となる蛍光灯４から発生する赤外線ノイズ４１の強度が強くなり、３板式液晶プロジェクタ１へ照射される赤外線ノイズ４１の強度が強くなる。このため、例えば、実施の形態１及び２において問題としていたように、赤外線ノイズ源となる蛍光灯４からリモコン受光部１１へ直接照射される赤外線ノイズ４１とは別に、図６に示すように、プロジェクタの筐体１３の表面の凹凸部１６など種々の物体により赤外線が反射され反射による赤外線ノイズ４２が発生する。また、この赤外線ノイズ４２は、反射経路によっては、実施の形態１又は２における入射開口部５１から赤外線ノイズ４２が侵入する恐れがあり、入射開口部５１から赤外線ノイズ４２が侵入した場合にはリモコン操作が妨害されることがある。
【００５７】
実施の形態３における赤外線リモコン用遮蔽導波構造は、このような赤外線ノイズ４２によりリモコン操作が妨害されるのを防止するためのものであって、図６に示すように、赤外線ノイズ４２を除去するために入射開口部５１に光学フィルタ５５を設けたものである。
【００５８】
通常は、赤外線信号３１の強度が赤外線ノイズ４２の強度より大きいので、この光学フィルタ５５を設けることにより、上記の反射経路からの赤外線ノイズ４２の強度を減少させ、赤外線ノイズ４２による影響を減少させることができる。
【００５９】
本実施の形態に係る赤外線リモコン用遮蔽導波構造によれば、上記のように構成されているので、実施の形態１に記載した（１）〜（８）の作用効果に加えて以下の作用効果を奏することができる。
【００６０】
（１０）本実施の形態に係る赤外線リモコン用遮蔽導波構造によれば、蛍光灯４などの赤外線ノイズ源から直接照射される赤外線ノイズ４１は、遮蔽導波ユニット５を用いた管状構造部５０により遮蔽される。また、筐体１３の凹凸部１６などでの種々の物体による反射経路により入射開口部５１に照射される赤外線ノイズ４２は、光学フィルタ５５により減衰されるので、リモコン操作に与える影響を軽減することができる。
【００６１】
（実施の形態４）
次に、実施の形態４に係る赤外線リモコン用遮蔽導波構造について図７及び図８に基づき説明する。なお、これら図面において実施の形態１及び実施の形態３と同一の構成には同一の符号を使用しその説明を省略する。
【００６２】
実施の形態４に係る赤外線リモコン用遮蔽導波構造は、実施の形態３において説明した筐体１３の表面において、例えば凹凸部１６において反射する反射経路からの赤外線ノイズの強度が強い場合に、赤外線ノイズ４２の侵入を防止するようにしたものである。
【００６３】
実施の形態４における赤外線リモコン用遮蔽導波構造は、このような赤外線ノイズ４２を本来の直接照射される赤外線ノイズ４１とともに遮蔽するようにするものであって、図７及び図８に示すように、管状構造部５０における入射開口部５１を３板式液晶プロジェクタ１の筐体１３の外側に位置するように構造を変形させている。
【００６４】
すなわち、遮蔽導波ユニット５は、図７（ａ）及び図７（ｂ）に示すように、入射開口部５１から出射開口部５２に至る環状構造部全体を筐体１３とは別体の管状の構造物として形成したものである。そして、遮蔽導波ユニット５は、下端部を入射開口部５１とした第１管状部５６と、先端部を出射開口部５２とした第２管状部５７とによりＬ字状の管状構造部５０に形成されている。このようにＬ字状としたのは、第２管状部５７を形成することにより第１管状部５６の位置を筐体１３の外表面部から所定距離前方に位置せしめ、これにより第１管状部５６が筐体１３の凹凸部１６と干渉することを避けるようしている。そして、第１管状部５６の長さを長くして、入射開口部５１の形成される端部位置を３板式液晶プロジェクタ１の下縁部より外側（この場合下側）となるようにしている。また、この実施の形態の場合は、出射開口部５２は水平の第２管状部５７の先端部に形成され、上下壁及び左右の側壁の四辺に対し鍔部５３が形成され、この鍔部５３を接着テープにより筐体１３の表面部に接着して取り付けるようにしたものである。
【００６５】
実施の形態４に係る赤外線リモコン用遮蔽導波構造は、図７（ａ）に示すように、蛍光灯４から直接照射される赤外線ノイズ４１及び３板式液晶プロジェクタ１の筐体１３の表面の凹凸部１６などにより反射されてくる赤外線ノイズ４２がＬ字型に形成された管状構造部５０により遮蔽される。また、入射開口部５１から入射された赤外線信号３１は、この管状構造部５０内で反射を繰り返して出射開口部５２に達し、出射開口部５２からリモコン受光素子１２に向けて出射される。
【００６６】
以上説明したように、実施の形態４の赤外線リモコン用遮蔽導波構造によれば、上記のように構成されているので実施の形態１に記載した（１）〜（８）の効果に加えて以下のような作用効果を奏することができる。
【００６７】
（１１）蛍光灯４から直接的に照射される赤外線ノイズ４１の他に３板式液晶プロジェクタ１の筐体１３の表面により、例えば凹凸部１６により反射されてくる赤外線ノイズ４２を管状構造部５０により遮蔽することが可能となるので、より確実にリモコン操作ができるようになる。
【００６８】
（実施の形態５）
次に、実施の形態５に係る赤外線リモコン用遮蔽導波構造について図９及び図１０に基づき説明する。なお、これら図面において実施の形態１と同一の構成には同一の符号を使用しその説明を省略する。
【００６９】
実施の形態５に係る赤外線リモコン用遮蔽導波構造は、実施の形態４の場合と同様に、赤外線ノイズ源となる蛍光灯４と３板式液晶プロジェクタ１との距離が近く、反射経路からの赤外線ノイズ４２の強度が強い場合における赤外線ノイズ４２の侵入を防止するようにしたものである。
【００７０】
このために、この赤外線リモコン用遮蔽導波構造は、実施の形態４の場合と同様に管状構造部５０における入射開口部５１を３板式液晶プロジェクタ１の筐体１３の外側に位置させるものであって、図９に示すように、実施の形態１における遮蔽導波ユニット５に対し延長管路６を下方に接続して管状構造部５０を形成するようにしている。なお、この実施の形態において、遮蔽導波ユニット５は本願発明における第１管状部に相当し、延長管路６は本願発明における第２管状部に相当する。
【００７１】
延長管路６は、図９及び図１０に示すように、上端を段状に縮形してコの字状の突起部６１に形成され、この突起部６１を遮蔽導波ユニット５下端のコの字状の開口部５１ａに嵌合することにより遮蔽導波ユニット５の下端に接合されている。また、この接合部６２（図８参照）から少し下方までは、背面が開放され、遮蔽導波ユニット５の背面形状を下方に延長する形態に形成されている。また、この背面の開口部６２ａには、遮蔽導波ユニット５における鍔部５３と同様に鍔部６３が形成されている。また、接合部６２より下方の管路６ａは、管状に形成されるとともに、筐体１３における凹凸部１６との干渉を避けるために、管路６ａの背壁を前方に位置するような形状にされている。また、この管路６ａの下端は、入射開口部５１に形成されている。鍔部６３は、延長管路６を筐体１３の外表面部に取り付けるときに、両面テープ等により筐体１３の外表面部に接着される。
【００７２】
延長管路６は、遮蔽導波ユニット５と同様の材料により形成されている。そして、遮蔽導波ユニット５と延長管路６との接合部には、黒色のビニルテープが貼り付けられており、継ぎ目からの赤外線ノイズ４１，４２の侵入を防止するように構成されている。
【００７３】
このように構成される延長管路６は、設置環境に合わせて赤外線ノイズ４１，４２が入射しない位置に入射開口部５１を位置させるために効果的である。また、出射開口部５２を形成する背面の開口部５２ａは前述のように正方形に形成されているので、筐体１３の外表面部に沿って取り付けられる限りにおいて、何れの方向にも延長可能に取り付けることができる。
【００７４】
本実施の形態に係る赤外線リモコン用遮蔽導波構造によれば、上記のように構成されているので、実施の形態１に記載した（１）〜（８）の作用効果に加えて以下の作用効果を奏することができる。
【００７５】
（１２）本実施の形態に係る赤外線リモコン用遮蔽導波構造によれば、小さな部品の組合せで管状構造部５０を形成し、入射開口部５１の位置をリモコン受光素子１２から大きく離すことができる。
【００７６】
（１３）また、延長管路６（第２管状部）を利用するかしないかにより入射開口部５１の位置を調整することができる。
（１４）また、遮蔽導波ユニット５と延長管路６との接合部には、黒色のビニルテープが貼り付けられているので、継ぎ目からの赤外線ノイズ４１，４２の侵入を防止することができる。
【００７７】
（変形例）
本発明は、上記実施の形態において以下のように変更することもできる。
・前述の実施の形態１〜５において、遮蔽導波ユニット５及び延長管路６における材料構造を３層構造としていたが、これを図１１（ａ）に示すように２層構造としてもよい。すなわち、２層構造とする場合は、外側の層を、ユニット構造成形の機能と赤外線を遮蔽する機能とを有する剛性体遮蔽層Ｌ１とし、この剛性体遮蔽層を板状形状とする。また、具体的な材料としては、金属、樹脂、紙を使用することができる。また、内側の層を、赤外線の伝播機能を付加する反射層Ｌ２とし、金属、樹脂などの材料を利用する。特に、この反射層Ｌ２には、剛性を必要としないのでアルミテープ、銅テープ、アルミ箔などの比較的薄く強度のないフィルム状の金属材料を使用することができる。
【００７８】
・また、前述の実施の形態１〜５において、遮蔽導波ユニット５及び延長管路６における材料構造を３層構造していたが、これを図１１（ｂ）に示すような単層構造としてもよい。この場合は、単一構造層Ｍ１にユニット構造成形の機能、赤外線を遮蔽する機能、赤外線を伝播する機能のすべてを持たせることになる、材料としては金属、樹脂などのが利用可能である。また、その形状は、機械的な強度を確保するため板状材料とする。
【００７９】
・実施の形態１〜５において、管状構造部５０の断面形状は正方形、矩形などの四辺形に形成されているが、他の形状例えば、円形、楕円形、台径などの適宜の形状とすることができる。
【００８０】
・実施の形態３において、光学フィルタ５５が入射開口部５１に設置されているが、光学フィルタ５５を管状構造部５０内に設けるようにしても同様の効果を奏することができる。
【００８１】
・また、実施の形態４、５においても、入射開口部５１又は管状構造部５０の内部に光学フィルタ５５を設けるようにしてもよい。このようにすれば、より精度が向上する。
・実施の形態１〜実施の形態５において、遮蔽導波ユニット５及び延長管路６を筐体１３の外表面部に取り付けるため両面テープなどの接着テープ５４が用いられているが、これを接着剤などの他の手段に変更してもよい。
【００８２】
・実施の形態２及び実施の形態４において、遮蔽導波ユニット５の第１管状部５６又は延長管路６を柔軟性材料で形成して入射開口部の向きを蛍光灯４からの赤外線ノイズ４１が入射され難い方向に任意に向けることができるようにしてもよい。
【産業上の利用可能性】
【００８３】
本発明に係る赤外線リモコン用遮蔽導波構造は、前述の３板式液晶プロジェクタ以外の電子機器に幅広く用いることができる。
【符号の説明】
【００８４】
Ｌ１…剛性体遮蔽層、Ｌ２…反射層、Ｍ１…単一構造層、１…３板式液晶プロジェクタ、３…赤外線リモコン、４…（赤外線ノイズ源としての）蛍光灯、５…遮蔽導波ユニット、５ａ…遮蔽層、５ｂ…剛性体層、５ｃ…反射層、６ａ…延長部（第２管状部）、１１…リモコン受光部、１２…リモコン受光素子、１３…筐体、１５…嵌合用突起部、３１…赤外線信号、４１，４２…赤外線ノイズ、５０…管状構造部、５１…入射開口部、５２…出射開口部、５４…接着テープ、５５…光学フィルタ、５６…第１管状部、５７…第２管状部、６２…接合部。
【図１】
2010259029.tif 000003
【図２】
2010259029.tif 000004
【図３】
2010259029.tif 000005
【図４】
2010259029.tif 000006
【図５】
2010259029.tif 000007
【図６】
2010259029.tif 000008
【図７】
2010259029.tif 000009
【図８】
2010259029.tif 000010
【図９】
2010259029.tif 000011
【図１０】
2010259029.tif 000012
【図１１】
2010259029.tif 000013
【図１２】
2010259029.tif 000014